(57)【要約】【課題】その表面が平面ではなく凹凸ないしは曲面状である被貼付け物Ｍに貼り付けて、被貼付け物Ｍに関する情報を表示した部分（情報表示部６）を湾曲させることなく、バーコード９や二次元コードなどについてもその光学的読取りを適正に実行可能なラベルを提供すること。【解決手段】貼付け部５および情報表示部６のそれぞれの領域を分離すること、ならびに貼付け部５のみを被貼付け物Ｍに貼り付け可能とし、情報表示部６はこれを貼り付け不能とすることに着目したもので、被貼付け面ＭＡに貼り付け可能な貼付け部５と、貼付け部５に連結しているとともに、被貼付け物Ｍに関する情報を表示している情報表示部６と、を有し、情報表示部６は、これを被貼付け面ＭＡに貼り付け不能としてあることを特徴とする。【選択図】図１
2008026535.tif 000002
【特許請求の範囲】
【請求項１】
その被貼付け面が平面ではない被貼付け物に貼り付けるためのラベルであって、
前記被貼付け面に貼り付け可能な貼付け部と、
この貼付け部に連結しているとともに、前記被貼付け物に関する情報を表示している情報表示部と、
を有し、
この情報表示部は、これを前記被貼付け面に貼り付け不能としてあることを特徴とするラベル。
【請求項２】
前記情報表示部は、前記被貼付け物に関する前記情報をバーコードないしは二次元コードにより表示していることを特徴とする請求項１記載のラベル。
【請求項３】
前記貼付け部は、その裏面に粘着剤層を有するとともに、
前記情報表示部は、その裏面に形成した粘着剤層を覆う台紙を有することを特徴とする請求項１記載のラベル。
【請求項４】
前記貼付け部は、その裏面に粘着剤層を有するとともに、
前記情報表示部は、その裏面に形成した粘着剤層を覆う糊殺し剤層を有することを特徴とする請求項１記載のラベル。
【請求項５】
前記貼付け部および前記情報表示部は、その裏面に粘着剤層およびこの粘着剤層を覆う台紙を有するとともに、
前記貼付け部および前記情報表示部の境界部分におけるこの台紙に分離スリットを形成して前記貼付け部および前記情報表示部におけるこの台紙を互いに分離可能とし、前記貼付け部における前記台紙を剥離して、前記貼付け部における前記粘着剤層を露出可能としたことを特徴とする請求項１記載のラベル。
【請求項６】
帯状のラベル基材と、
このラベル基材の裏面に形成した粘着剤層と、
この粘着剤層を覆う台紙と、を有するとともに、
前記貼付け部に相当する前記ラベル基材および前記粘着剤層を前記貼付け部の形状に打ち抜き、
前記情報表示部に相当する前記ラベル基材、前記粘着剤層および前記台紙を一部の非打抜き部を残して前記情報表示部の形状に打ち抜き、かつ、
前記貼付け部および前記情報表示部の境界部分における前記台紙に分離スリットを形成して前記貼付け部および前記情報表示部におけるこの台紙を互いに分離可能としてあることを特徴とする請求項１記載のラベル。
【請求項７】
前記貼付け部と前記情報表示部との間に、これらを連結する所定長さの連結部を有することを特徴とする請求項１記載のラベル。
【発明の詳細な説明】
【技術分野】
【０００１】
本発明はラベルにかかるもので、とくにその表面が平面ではなく凹凸ないしは曲面状である被貼付け物に貼り付けて、その被貼付け物に関する情報を表示するためのラベルに関するものである。
【背景技術】
【０００２】
従来の小売り店などでは、商品たとえば食品の中でもとくに果物などは一個単位で商品ラベルを直接貼り付けて販売している場合がある。
このような単品販売の場合、通常貼られているラベルは、商品のサイズに応じてたとえば２０×３０ｍｍ程度の大きさで、商品名、ＪＡＮコードなどのバーコードによる商品コード、あるいは価格などが表示されている。
しかしながら、ラベルを被貼付け物であるたとえばりんごなどの果物に貼ると、りんごは球形状であるため、貼られたラベルの隅が剥がれたり、シワが発生してしまうという問題がある。その結果、商品コードをバーコード化しても、ラベル自体がシワの発生や被貼付け物の形状に沿って湾曲しているため、バーコードスキャナーでバーコードを読み取ることができず、あるいはエラーが生ずる場合があるという問題がある。
もちろん、果物以外にも、その表面が平面ではなく凹凸ないしは曲面状である商品その他の被貼付け物にラベルを貼り付けて、被貼付け物に関する情報を表示しようとした場合には、上述と同様の問題が発生する。
【０００３】
【特許文献１】実用新案登録第３０５３６３９号公報
【発明の開示】
【発明が解決しようとする課題】
【０００４】
本発明は以上のような諸問題にかんがみなされたもので、その表面が平面ではなく凹凸ないしは曲面状である被貼付け物に貼り付けて、その被貼付け物に関する情報を表示することができるラベルを提供することを課題とする。
【０００５】
また本発明は、被貼付け物の形状にかかわらず、必要な情報を適正に表示するとともに、バーコードや二次元コードなどについてもその光学的読取りを適正に実行可能なラベルを提供することを課題とする。
【０００６】
また本発明は、被貼付け物に関する情報を表示した部分（情報表示部）を湾曲させることなく、光学的読取り可能な平面状態に保持可能なラベルを提供することを課題とする。
【課題を解決するための手段】
【０００７】
すなわち本発明は、貼付け部および情報表示部のそれぞれの領域を分離すること、ならびに貼付け部のみを被貼付け物に貼り付け可能とし、情報表示部はこれを貼り付け不能とすることに着目したもので、その被貼付け面が平面ではない被貼付け物に貼り付けるためのラベルであって、上記被貼付け面に貼り付け可能な貼付け部と、この貼付け部に連結しているとともに、上記被貼付け物に関する情報を表示している情報表示部と、を有し、この情報表示部は、これを上記被貼付け面に貼り付け不能としてあることを特徴とするラベルである。
【０００８】
上記情報表示部は、上記被貼付け物に関する上記情報をバーコードないしは二次元コードにより表示していることができる。
【０００９】
上記貼付け部は、その裏面に粘着剤層を有するとともに、上記情報表示部は、その裏面に形成した粘着剤層を覆う台紙を有することができる。
【００１０】
上記貼付け部は、その裏面に粘着剤層を有するとともに、上記情報表示部は、その裏面に形成した粘着剤層を覆う糊殺し剤層を有することができる。
【００１１】
上記貼付け部および上記情報表示部は、その裏面に粘着剤層およびこの粘着剤層を覆う台紙を有するとともに、上記貼付け部および上記情報表示部の境界部分におけるこの台紙に分離スリットを形成して上記貼付け部および上記情報表示部におけるこの台紙を互いに分離可能とし、上記貼付け部における上記台紙を剥離して、上記貼付け部における上記粘着剤層を露出可能とすることができる。
【００１２】
帯状のラベル基材と、このラベル基材の裏面に形成した粘着剤層と、この粘着剤層を覆う台紙と、を有するとともに、上記貼付け部に相当する上記ラベル基材および上記粘着剤層を上記貼付け部の形状に打ち抜き、上記情報表示部に相当する上記ラベル基材、上記粘着剤層および上記台紙を一部の非打抜き部を残して上記情報表示部の形状に打ち抜き、かつ、上記貼付け部および上記情報表示部の境界部分における上記台紙に分離スリットを形成して上記貼付け部および上記情報表示部におけるこの台紙を互いに分離可能としてあることができる。
【００１３】
上記貼付け部と上記情報表示部との間に、これらを連結する所定長さの連結部を有することができる。
【発明の効果】
【００１４】
本発明によるラベルにおいては、貼付け部の領域と情報表示部の領域とを分離し、貼付け部のみを被貼付け物に貼り付け可能とし、情報表示部はこれを貼り付け不能としたので、とくに果物などその被貼付け面が曲面状である被貼付け物に対して、貼付け部のみが被貼付け物に確実に貼り付け可能となり、情報表示部は被貼付け物には貼り付かないので、その平面状態を保持可能であり、情報表示部に表示されているバーコードや二次元コードを確実に光学的に読み取ることができる。
【発明を実施するための最良の形態】
【００１５】
本発明は、貼付け部の領域と情報表示部の領域とを分離し、貼付け部のみを被貼付け物に貼り付け可能とし、情報表示部は貼り付け不能としたので、被貼付け物の形状に左右されずに貼付け機能と表示機能とをともに適正に維持可能なラベルを実現した。
【実施例】
【００１６】
つぎに本発明の第１の実施例によるラベル１を図１ないし図３にもとづき説明する。
図１は、ラベル１の平面図、図２は、ラベル１の裏面図、図３は、図１のＩＩＩ−ＩＩＩ線断面図であって、図３に示すように、ラベル１は、その積層方向に、ラベル基材２と、粘着剤層３と、台紙４と、を有する。
ラベル１は、その被貼付け面ＭＡが平面ではなく、たとえば曲面形状を呈している被貼付け物Ｍ（たとえば、りんごなどの果物、図１中、仮想線）に貼り付けるためのものであって、その平面方向に、貼付け部５と、情報表示部６と、連結部７と、を有する。
【００１７】
ラベル基材２および粘着剤層３の材質については、被貼付け物Ｍの特性に応じて、これを選択する。
【００１８】
貼付け部５は、この部分における台紙４（図３中、仮想線）を剥がし、粘着剤層３をその裏面に露出可能として、この部分のみを被貼付け面ＭＡに貼り付けるものである。
なお、被貼付け物Ｍの曲面形状を呈した被貼付け面ＭＡに貼付け部５を貼り付けても判読に支障がない表示を行うことができる。
また、貼付け部５には、被貼付け物Ｍの被貼付け面ＭＡの曲面形状に合せてこの貼付け部５を貼り付けやすいように、所定の部位に切込み８を入れておくことができる。この切込み８は、ラベル１を被貼付け面ＭＡから剥がすときの剥がし方向に沿った方向に形成することにより、ラベル１（貼付け部５）を被貼付け物Ｍからきれいに剥がすことができる。
【００１９】
情報表示部６は、貼付け部５に連結部７を介して連結しており、被貼付け物Ｍに関する情報をバーコード９（ないしは二次元コード）により表示しているとともに、これを被貼付け面ＭＡに貼り付け不能としてある。
すなわち情報表示部６は、貼付け部５と同様に、その裏面側に粘着剤層３を有するが、この粘着剤層３を下面側から覆うように上記台紙４が位置している。
【００２０】
連結部７は、貼付け部５と情報表示部６との間に、これらを連結するもので、所定の幅および長さを有し、貼付け部５および情報表示部６の境界部分におけるその台紙４に分離スリット１０を形成しておく。
【００２１】
ラベル１の製造工程において、ラベル基材２に粘着剤層３を均一に塗布して台紙４を仮着するとともに、貼付け部５、情報表示部６および連結部７の形状に型抜きし、連結部７における分離スリット１０の部分で、貼付け部５の部分のみの台紙４（図３中、仮想線）を剥離して貼付け部５における粘着剤層３を露出させて貼付け部５のみを被貼付け面ＭＡに貼り付け可能とし、情報表示部６は、これを貼り付け不能とする。
【００２２】
こうした構成のラベル１において、貼付け部５の部分のみを被貼付け面ＭＡに貼り付けるとともに、情報表示部６の部分は、曲面形状ないし凹凸のある被貼付け面ＭＡに貼り付くことがないので、情報表示部６は湾曲することなく平面状態を保持可能であり、表示しているバーコード９を光学的な読取りを適正に実行することができる。
なお、貼り付けられて固定状態の貼付け部５と、自由状態の情報表示部６との間には連結部７があるため、情報表示部６を被貼付け面ＭＡから連結部７の長さ分だけ引き上げることができ、上記読取り作業をさらに容易に行うことができる。
また、連結部７の幅を貼付け部５および情報表示部６の幅よりも小さくしているので、連結部７の長さに加えて、情報表示部６を所定範囲の傾斜角度に傾斜させることができ、上記読取り作業における作業容易性をさらに増すことができる。
【００２３】
図４は、本発明の第２の実施例によるラベル２０の、図３と同様の断面図であって、ラベル２０では、情報表示部６の粘着剤層３に台紙８を仮着する代わりに糊殺し剤層２１を形成して、情報表示部６を貼り付け不能としてあるとともに、貼付け部５のみに台紙４を仮着し、これを剥離してその粘着剤層３を被貼付け面ＭＡ側に露出可能としてある。
他の構成は、ラベル１（図１）と同様である。
【００２４】
こうした構成のラベル２０においても、上述のラベル１（第１の実施例、図１）と同様に、情報表示部６が被貼付け面ＭＡに貼り付くことがなく、すなわち、情報表示部６が被貼付け面ＭＡの曲面に合せて湾曲することがなく、平面状態を保持した情報表示部６のバーコード９の光学的読取りが可能である。
【００２５】
図５は、本発明の第３の実施例によるラベル３０の平面図であって、ラベル３０では、貼付け部５と情報表示部６との間に連結部７を形成せず、貼付け部５に情報表示部６を直接連結している。
他の構成は、ラベル１（図１）あるいはラベル２０と同様にすることができる。
【００２６】
こうした構成のラベル３０においても、情報表示部６が被貼付け面ＭＡの曲面にそってわずかに湾曲することはあっても、ラベル１、２０と同様に被貼付け物Ｍへの貼付けおよび表示を可能とするとともに、ラベル３０自体にシワなどが発生することはなく、バーコード９の光学的読取りを可能とする。
【００２７】
上述したラベル１（図１）、ラベル２０（図４）およびラベル３０（図５）は、既述のように、ラベル基材２、粘着剤層３および台紙４を積層して型抜きすることにより、これを製造可能であるが、ラベル１、２０、３０がそれぞれ連続した状態の、たとえばロール状として、たとえばラベルロールの形態で提供することもできる。
すなわち図６は、ラベル１の複数枚を連続して形成した、本発明の第４の実施例によるロール状のラベル４０の斜視図、図７は、図６のＶＩＩ−ＶＩＩ線断面図であって、ラベル４０は、帯状の前記ラベル基材２と、このラベル基材２の裏面に形成した粘着剤層３と、この粘着剤層３を覆う台紙４と、を有する。
【００２８】
貼付け部５に相当するラベル基材２および粘着剤層３を貼付け部５の形状に打ち抜き（半カット）、情報表示部６に相当するラベル基材２、粘着剤層３および台紙４を一部の非打抜き部４１を残して情報表示部６の形状に打ち抜いてある（全カット）。
また、貼付け部５および情報表示部６の境界部分における台紙４に分離スリット１０を形成して貼付け部５および情報表示部６におけるこの台紙４を互いに分離可能としてある。
なお、台紙４の裏面には、所定ピッチで位置検出マーク４２を印刷してあり、ラベル４０を任意のプリンター（図示せず）に装填して、位置検出マークからの検出信号にもとづいて移送し、ラベル１の貼付け部５および情報表示部６にバーコード９などを含む既述のような所定の情報を印字可能としている。
【００２９】
こうした構成のロール状のラベル４０とすれば、ラベル４０を上記プリンターなどに装填し、それぞれのラベル１に必要に応じて任意の可変情報を印字可能であるとともに、非打抜き部４１を切断して、ラベル４０からラベル１（図１）を直接剥がして得ることができる。
【図面の簡単な説明】
【００３０】
【図１】本発明の第１の実施例によるラベル１の平面図である。
【図２】同、ラベル１の裏面図である。
【図３】同、図１のＩＩＩ−ＩＩＩ線断面図である。
【図４】本発明の第２の実施例によるラベル２０の、図３と同様の断面図である。
【図５】本発明の第３の実施例によるラベル３０の平面図である。
【図６】ラベル１の複数枚を連続して形成した、本発明の第４の実施例によるロール状のラベル４０の斜視図である。
【図７】同、図６のＶＩＩ−ＶＩＩ線断面図である。
【符号の説明】
【００３１】
１  ラベル（第１の実施例、図１ないし図３）
２  ラベル基材
３  粘着剤層
４  台紙
５  貼付け部
６  情報表示部
７  連結部
８  切込み
９  バーコード
１０  分離スリット
２０  ラベル（第２の実施例、図４）
２１  糊殺し剤層
３０  ラベル（第３の実施例、図５）
４０  ロール状のラベル（第４の実施例、図６）
４１  非打抜き部
４２  位置検出マーク
Ｍ    りんごなどの果物その他の被貼付け物（図１）
ＭＡ  被貼付け物Ｍの被貼付け面
【図１】
2008026535.tif 000003
【図２】
2008026535.tif 000004
【図３】
2008026535.tif 000005
【図４】
2008026535.tif 000006
【図５】
2008026535.tif 000007
【図６】
2008026535.tif 000008
【図７】
2008026535.tif 000009